(57)【要約】【課題】残菜フィルタが目詰まりした場合でも、空気の浮力による残菜フィルタの位置ずれを防止し、残菜等の固形物が排水口部から奥所側に侵入するのを防止する。【解決手段】洗浄槽１の底部１ａには、排水口部４を取囲む位置に枠状凹部２０を設ける。排水口部４の内部には、ヒータ２１と、ヒータ２１から排水口部４への熱伝導を遮断する遮熱部材２２とを設ける。枠状凹部２０と遮熱部材２２の周縁部２２ｂとの間には、マグネット２３を配置する。残菜フィルタ２５は、排水口部４を覆う位置で枠状凹部２０に嵌め込んで取付ける。このとき、残菜フィルタ２５の周縁部２６ｃは、マグネット２３により遮熱部材２２の周縁部２２ｂに吸着させる。これにより、残菜フィルタ２５の下側に空気が溜まった場合でも、残菜フィルタ２５を排水口部４に安定的に保持することができる。【選択図】図５
2017018167.tif 000002
【特許請求の範囲】
【請求項１】
食器を含む洗浄対象物が収納される洗浄槽と、
前記洗浄対象物を洗浄水により洗浄する洗浄手段と、
前記洗浄槽の底部に設けられ、前記洗浄水を前記洗浄槽の外部に排出する排水口部と、
複数の排水穴を有する材料により形成されると共に、少なくとも一部が磁力により吸着可能な材料により形成され、前記洗浄水中の固形物を捕集するために前記排水口部を覆う残菜フィルタと、
前記洗浄槽の底部に設けられ、磁力により前記残菜フィルタを吸引して前記排水口部に保持するマグネットと、
を備えた食器洗い機。
【請求項２】
前記排水口部は、前記洗浄槽の底部から下向きに窪んだ凹部として形成し、
前記排水口部の内部には、
前記洗浄槽の内部に貯留される洗浄水を加熱するためのヒータと、
金属材料により形成されると共に前記排水口部の内壁と前記ヒータとの間に配置され、前記ヒータの熱が前記排水口部の内壁に伝わるのを遮断する遮熱部材と、を設け、
前記マグネットは、前記遮熱部材を介して前記残菜フィルタを前記遮熱部材に吸着させる構成とした請求項１に記載の食器洗い機。
【請求項３】
前記洗浄槽の底部には、前記排水口部を取囲んで枠状に延びると共に前記マグネットが配置される枠状凹部を設け、
前記残菜フィルタ及び前記遮熱部材は、それぞれ前記枠状凹部に嵌め込まれる縁部を備え、
前記マグネットは、前記遮熱部材の縁部に前記残菜フィルタの縁部を吸着させる構成とした請求項２に記載の食器洗い機。
【請求項４】
前記残菜フィルタのうち前記マグネットに吸引される部分は、フェライト系ステンレスにより形成した請求項１から３のうち何れか１項に記載の食器洗い機。
【請求項５】
前記マグネットを樹脂材料により被覆する構成とした請求項１から４のうち何れか１項に記載の食器洗い機。
【請求項６】
前記残菜フィルタのうち前記複数の排水穴が配置される部分には、上方に向けて部分的に隆起する隆起部を形成した請求項１から５のうち何れか１項に記載の食器洗い機。
【発明の詳細な説明】
【技術分野】
【０００１】
本発明は、洗浄ノズルより食器に向けて洗浄水を噴射して食器を洗浄する食器洗い機に関する。
【背景技術】
【０００２】
従来技術として、例えば特許文献１に記載されているような食器洗い機が知られている。図６は、従来技術の食器洗い機を示す断面図であり、図７は、従来技術の食器洗い機が備えるフィルタを示す斜視図である。従来技術の食器洗い機は、図６に示すように、洗浄槽１００内に設けられた食器かご１０１、洗浄ノズル１０２、ヒータ１０３及び排水口部１０４を備えている。排水口部１０４には、フィルタ１０５が着脱可能に取付けられている。また、食器洗い機は、給水運転により洗浄槽１００内に洗浄水を貯留した後に、洗浄運転を実行する。洗浄運転では、洗浄槽１００内の洗浄水がフィルタ１０５を通って排水口部１０４に吸込まれる。吸込まれた洗浄水は、洗浄ノズル１０２から噴射され、食器かご１０１に収納された食器を洗浄する。この洗浄動作が一定時間継続されると、洗浄槽１００内の洗浄水は、フィルタ１０５及び排水口部１０４を経由して外部に排出される。このような給水運転及び洗浄運転が規定回数だけ繰返されることで、食器の洗浄及びすすぎが実行される。
【０００３】
一方、従来技術のフィルタ１０５は、図７に示すように、平板状の多孔質材料からなるパンチングメタル１０６と、パンチングメタル１０６から上方に突出した把持部１０７とを備えている。把持部１０７の側壁には、縦長状の角穴１０８が形成され、把持部１０７の天面には、丸穴１０９が形成されている。角穴１０８及び丸穴１０９は、フィルタ１０５の表面側と裏面側とを連通している。また、角穴１０８の上端位置は、洗浄運転時における洗浄槽１００内の水位よりも高い位置に設定され、角穴１０８の下端位置は、給水運転時における洗浄槽１００内の水位よりも低い位置に設定されている。これにより、従来技術では、角穴１０８及び丸穴１０９を用いて、給水運転時に排水口部１０４の奥所側（フィルタ１０５の下側）に溜まった空気の逃げ道を確保するようにしている。
【先行技術文献】
【特許文献】
【０００４】
【特許文献１】特開２００５−３４２３９０号公報
【発明の概要】
【発明が解決しようとする課題】
【０００５】
しかしながら、従来技術の食器洗い機では、例えばパンチングメタル１０６が広範囲で目詰まりした状態等において、角穴１０８及び丸穴１０９だけでは、排水口部１０４の奥所側に溜まった空気を十分に抜くことができない場合がある。この場合には、フィルタ１０５の下側に残った空気の浮力により、フィルタ１０５が排水口部１０４から浮き上がって位置ずれし易くなる。フィルタ１０５の位置ずれが生じると、洗浄水に含まれる残菜等の固形物が排水口部１０４を通過して洗浄水用の循環ポンプ、水位検出部等に侵入することがあり、これによって食器洗い機の誤作動、故障等が誘発されるという問題がある。
【０００６】
本発明は、上述のような課題を解決するためになされたもので、残菜フィルタが目詰まりした場合でも、当該フィルタを排水口部に安定的に保持し、残菜等の固形物が排水口部から奥所側に侵入するのを防止することができ、信頼性を向上させることが可能な食器洗い機を提供することを目的としている。
【課題を解決するための手段】
【０００７】
本発明に係る食器洗い機は、食器を含む洗浄対象物が収納される洗浄槽と、洗浄対象物を洗浄水により洗浄する洗浄手段と、洗浄槽の底部に設けられ、洗浄水を洗浄槽の外部に排出する排水口部と、複数の排水穴を有する材料により形成されると共に、少なくとも一部が磁力により吸着可能な材料により形成され、洗浄水中の固形物を捕集するために排水口部を覆う残菜フィルタと、洗浄槽の底部に設けられ、磁力により残菜フィルタを吸引して排水口部に保持するマグネットと、を備えている。
【発明の効果】
【０００８】
本発明によれば、残菜フィルタが目詰まりした場合でも、マグネットの磁力により残菜フィルタを排水口部に安定的に保持し、残菜フィルタが下側の空気の浮力により位置ずれするのを防止することができる。これにより、洗浄水中に含まれる残菜等の固形物が排水口部から奥所側に侵入するのを防止することができる。従って、固形物の侵入による作動不良を防止し、食器洗い機の信頼性を向上させることができる。
【図面の簡単な説明】
【０００９】
【図１】本発明の実施の形態１による食器洗い機を示す縦断面図である。
【図２】排水口部の周辺を拡大して示す断面斜視図である。
【図３】残菜フィルタを単体で示す外観斜視図である。
【図４】残菜フィルタを示す縦断面図である。
【図５】残菜フィルタを排水口部に取付ける状態を示す縦断面図である。
【図６】従来技術の食器洗い機を示す断面図である。
【図７】従来技術の食器洗い機が備えるフィルタを示す斜視図である。
【発明を実施するための形態】
【００１０】
以下、図面を参照して、本発明の実施の形態について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。また、本発明は、以下の各実施の形態に示す構成のうち、組合わせ可能な構成のあらゆる組合わせを含むものである。
【００１１】
実施の形態１．
図１は、本発明の実施の形態１による食器洗い機を示す縦断面図である。この図に示すように、本実施の形態の食器洗い機は、洗浄槽１、食器かご２、洗浄ノズル３、排水口部４、洗浄配管経路部５、排水配管経路部６、洗浄ポンプ７、排水ポンプ８、水位検知部９、給水弁１０等を備えている。洗浄槽１は、食器５０等の洗浄対象物が食器かご２に搭載された状態で収納されるもので、洗浄水を貯留する機能を備えている。洗浄槽１の内部には、食器かご２、洗浄ノズル３等が収納されている。洗浄ノズル３は、洗浄対象物に向けて洗浄水を噴射するもので、本実施の形態の洗浄手段に相当している。洗浄ノズル３は、食器かご２の下側に回転可能に配置されている。排水口部４は、洗浄槽１の内部に貯留された洗浄水を外部に排水するもので、洗浄槽１の底部１ａに配置されている。なお、排水口部４の周辺構造の詳細については、後述する。
【００１２】
洗浄配管経路部５、排水配管経路部６、洗浄ポンプ７及び排水ポンプ８は、洗浄槽１の底部１ａの下側に配置されている。洗浄配管経路部５は、排水口部４に流入した洗浄水を洗浄ノズル３に供給するための流路であり、排水口部４と洗浄ノズル３とを接続している。洗浄配管経路部５の途中には、洗浄ノズル３に向けて洗浄水を供給する洗浄ポンプ７が配置されている。排水配管経路部６は、排水口部４に流入した洗浄水を食器洗い機の外部に排水するための流路である。排水配管経路部６の途中には、洗浄水を排出する排水ポンプ８が配置されている。水位検知部９は、洗浄槽１の内部に貯留された洗浄水の水位を検知する。給水弁１０は、水道等の水源（図示せず）から洗浄槽１の内部に洗浄水を供給するもので、例えば食器かご２の上側で洗浄槽１の壁面に配置されている。
【００１３】
次に、図２及び図５を参照して、排水口部４の周辺構造について説明する。図２は、排水口部の周辺を拡大して示す断面斜視図である。また、図５は、残菜フィルタを排水口部に取付ける状態を示す縦断面図である。これらの図に示すように、本実施の形態の食器洗い機は、ヒータ２１、遮熱部材２２、マグネット２３、残菜フィルタ２５等を備えている。まず、排水口部４側の構成について説明すると、排水口部４は、例えば四角形状の凹部として形成され、洗浄槽１の底部１ａから下向きに窪んでいる。排水口部４の壁面は、樹脂材料等により形成されている。
【００１４】
また、洗浄槽１の底部１ａには、排水口部４を取囲んで四角形の枠状に延びた枠状凹部２０が設けられている。枠状凹部２０は、遮熱部材２２及び残菜フィルタ２５を嵌め込むための部位である。枠状凹部２０は、排水口部４よりも底が浅い凹部として形成され、洗浄槽１の底部１ａから下向きに窪んでいる。排水口部４の内部には、ヒータ２１及び遮熱部材２２が配置されている。
【００１５】
ヒータ２１は、洗浄槽１の内部に貯留された洗浄水を加熱するもので、例えば略Ｕ字状の電熱式ヒータにより形成され、排水口部４の内部（好ましくは、排水口部４の底部側）に配置されている。この構成によれば、ヒータ２１を洗浄槽１の底部１ａよりも低い位置に配置できるので、洗浄槽１の内部のうち洗浄対象物を収納する容積（食器かご２の容積等）を大きくすることができる。従って、洗浄槽１の容積を有効に活用し、一度に洗浄可能な洗浄対象物の量を増やすことができる。
【００１６】
遮熱部材２２は、ヒータ２１の熱が排水口部４の内壁に伝わるのを遮断するもので、ステンレス等の鋼板により形成され、嵌合部２２ａ及び周縁部２２ｂを備えている。嵌合部２２ａは、例えば上部側が開口した略箱形状に形成され、排水口部４の内側（内部）に嵌め込まれている。嵌合部２２ａの内部には、ヒータ２１が配置されている。これにより、嵌合部２２ａは、排水口部４の内壁とヒータ２１との間に介在し、ヒータ２１から排水口部４への熱伝導を遮断することができる。従って、排水口部４をヒータ２１の熱から保護し、熱による排水口部４の溶解、変形等を防止することができる。
【００１７】
周縁部２２ｂは、例えば嵌合部２２ａを取囲む枠状に形成され、嵌合部２２ａの上端から外向きに水平に突出している。なお、周縁部２２ｂは、必ずしも嵌合部２２ａの全周に配置する必要はなく、嵌合部２２ａの四辺のうち互いに対向する２辺に配置したり、嵌合部２２ａの３辺に略Ｕ字状に並べる構成としてもよい。遮熱部材２２は、周縁部２２ｂが洗浄槽１側の枠状凹部２０に上側から嵌め込まれることにより、洗浄槽１の底部１ａに固定した状態で取付けられ、この状態で排水口部４の内壁を覆っている。また、嵌合部２２ａの底部には、複数の貫通穴２２ｃが形成されている。貫通穴２２ｃは、嵌合部２２ａの内部空間を洗浄配管経路部５及び排水配管経路部６に連通させている。一方、周縁部２２ｂには、マグネット２３を露出させるために複数の露出穴２２ｄが形成されている。
【００１８】
マグネット２３は、磁力により残菜フィルタ２５を吸引して排水口部４に保持するものである。マグネット２３は、図５に示すように、洗浄槽１の枠状凹部２０に固定され、排水口部４を取囲んで四角形の枠状に延びている。そして、マグネット２３は、枠状凹部２０と、遮熱部材２２の周縁部２２ｂとの間に挟み込まれた状態で固定されている。これにより、マグネット２３の磁力は、遮熱部材２２の周縁部２２ｂを磁化すると共に、露出穴２２ｄを介して残菜フィルタ２５にも直接作用するように構成されている。なお、本発明では、図２及び図５に例示したように、棒状に形成された複数のマグネット２３を排水口部４の周囲に並べる構成としてもよい。また、マグネット２３は、必ずしも排水口部４の全周に配置する必要はなく、排水口部４の四辺のうち互いに対向する２辺に配置したり、排水口部４の３辺に略Ｕ字状に並べる構成としてもよい。
【００１９】
また、マグネット２３の表面は、図５に示すように、樹脂材料等からなる被覆部２４により全面にわたって覆われている。被覆部２４によれば、例えば残菜フィルタ２５を排水口部４に取付けるときの衝撃でマグネット２３が破損したり、洗浄水に晒されることでマグネット２３に錆が発生するのを防止することができる。従って、食器洗い機の耐久性を向上させることができる。
【００２０】
次に、図３及び図４を参照して、残菜フィルタ２５について説明する。残菜フィルタ２５は、排水口部４を覆うように配置された状態で、排水口部４に流入する洗浄水中の固形物を捕集し、固形物が排水口部４から奥所側に侵入するのを防止するものである。なお、洗浄水中の固形物としては、食器に付着していた残菜等が挙げられる。図３は、残菜フィルタを単体で示す外観斜視図であり、図４は、残菜フィルタを示す縦断面図である。これらの図に示すように、残菜フィルタ２５は、パンチングメタル２６、把持部２７及び外枠部２８を備えている。
【００２１】
パンチングメタル２６は、残菜フィルタ２５の本体部分を構成するもので、例えば磁力により吸着可能なフェライト系ステンレス等により形成されている。また、パンチングメタル２６は、略四角形の板状に形成され、多数の排水穴２６ａが表裏を貫通して形成されている。パンチングメタル２６のうち各排水穴２６ａが配置される部分には、上方に向けて部分的に隆起する隆起部２６ｂが形成されている。隆起部２６ｂによれば、パンチングメタル２６の一部を立体的に形成し、一部の排水穴２６ａの高さ位置及び傾きを他の排水穴２６ａと異ならせることができる。これにより、残菜等の固形物がパンチングメタル２６に多量に付着した場合でも、全ての排水穴２６ａが固形物により覆われた状態を生じ難くすることができ、パンチングメタル２６全体の目詰まりを回避することができる。
【００２２】
把持部２７は、残菜フィルタ２５を排水口部４に対して着脱するときに、ユーザにより把持される略角柱状の部位であり、パンチングメタル２６の中央付近から上向きに突出している。また、外枠部２８は、図３及び図４に示すように、例えば樹脂材料により四角形の枠状に形成され、パンチングメタル２６の周縁部２６ｃに取付けられている。パンチングメタル２６の周縁部２６ｃは、外枠部２８の内部に嵌め込まれた状態で、外枠部２８により全周にわたって覆われている。なお、残菜フィルタ２５を排水口部４に取付けた状態では、パンチングメタル２６の下端部が遮熱部材２２に当接するように構成してもよい。
【００２３】
次に、本実施の形態による食器洗い機の作動について説明する。まず、食器洗い機の使用前には、図５に示すように、残菜フィルタ２５が排水口部４に取付けられる。具体的に述べると、残菜フィルタ２５は、外枠部２８が洗浄槽１側の枠状凹部２０に嵌め込まれることにより、排水口部４を覆う位置に取付けられる。このとき、枠状凹部２０には、遮熱部材２２の周縁部２２ｂが嵌め込まれており、当該周縁部２２ｂの下側には、マグネット２３が配置されているので、周縁部２２ｂはマグネット２３により磁化されている。そして、残菜フィルタ２５の外枠部２８は、遮熱部材２２の周縁部２２ｂの上から枠状凹部２０に嵌め込まれ、周縁部２２ｂと重なり合った状態に保持される。
【００２４】
この結果、パンチングメタル２６の周縁部２６ｃは、マグネット２３の磁力により外枠部２８を介して遮熱部材２２の周縁部２２ｂに吸着される。この吸着動作は、周縁部２２ｂ，２６ｃ間で広い面積にわたって生じるので、残菜フィルタ２５は、排水口部４を覆う位置に安定的に保持された状態となる。また、遮熱部材２２の露出穴２２ｄの位置では、マグネット２３の磁力によりパンチングメタル２６の周縁部２６ｃが直接的に吸引される。これにより、残菜フィルタ２５をより強い力で排水口部４に取付けることができる。
【００２５】
一方、食器洗い機の作動時には、図１において、まず、給水弁１０が駆動されることにより、給水弁１０から洗浄槽１の内部に洗浄水が供給される。この給水動作は、洗浄槽１の内部に貯留された洗浄水の水位が規定水位に達するまで実行される。給水された洗浄水は、残菜フィルタ２５及び排水口部４を経由して、洗浄配管経路部５、排水配管経路部６、洗浄ポンプ７、排水ポンプ８及び水位検知部９にも貯留される。貯留された洗浄水は、ヒータ２１により温水化された後に、洗浄ポンプ７の動作により排水口部４から洗浄配管経路部５を介して洗浄ノズル３に圧送される。圧送された洗浄水は、洗浄ノズル３から勢いよく噴射されることにより、食器かご２に収納された食器５０等の洗浄対象物を洗浄する。洗浄に使用された洗浄水は、そのまま流下して洗浄槽１の底部１ａ側に貯留される。
【００２６】
また、上記洗浄動作が一定時間継続されると、排水ポンプ８が起動され、洗浄槽１内の洗浄水が排水される。このとき、洗浄槽１の底部１ａ側に貯留された洗浄水は、残菜フィルタ２５、排水口部４、排水配管経路部６及び排水ポンプ８を経由して、洗浄槽１の外部に排出される。続いて、給水弁１０から洗浄槽１の内部に再び洗浄水が供給され、洗浄水が規定水位まで貯留される。食器洗い機は、このような給水動作、洗浄動作及び排水動作を数回繰返すことにより、洗浄対象物の洗浄及びすすぎを行うように構成されている。
【００２７】
このようにして、食器洗い機が作動すると、洗浄対象物に付着していた固形物が洗い流されて洗浄水中に混入する。この固形物は、残菜フィルタ２５の排水穴２６ａにより捕集される。即ち、排水穴２６ａの穴径は、許容限度を超えた大きさの固形物を捕集可能な寸法に予め設定されている。これにより、残菜フィルタ２５は、洗浄水中の固形物が排水口部４を通過して排水口部４の奥所側（即ち、洗浄配管経路部５、排水配管経路部６、洗浄ポンプ７、排水ポンプ８及び水位検知部９等）に侵入するのを防止することができる。これにより、排水口部４の奥所側に固形物が詰まって作動不良が生じるのを抑制し、食器洗い機を安定的に作動させることができる。また、排水口部４を通過した固形物が洗浄ノズル３から噴射されて洗浄対象物に再び付着するのを防止し、洗浄動作を効率よく行うことができる。
【００２８】
上述した洗浄動作により洗浄水の循環が進行すると、洗浄水に含まれる固形物のうち残菜フィルタ２５の排水穴２６ａよりも大きなものは、残菜フィルタ２５により捕集される。また、洗浄動作が終了して排水動作が開始されると、排水穴２６ａよりも小さな固形物の殆どは、残菜フィルタ２５を通過し、排水配管経路部６から排出される。次に、排水動作が終了して給水動作が開始されると、排水配管経路部６に洗浄水が浸入する。このとき、残菜フィルタ２５が目詰まりしていなければ、排水配管経路部６内に存在する空気は、自らの浮力により排水口部４及び残菜フィルタ２５の排水穴２６ａを経由して上方（洗浄槽１内）に放出されるので、排水配管経路部６内の空気の逃げ道が確保される。
【００２９】
一方、給水動作が開始されたときに、残菜フィルタ２５が異物によりある程度目詰まりしていると、排水口部４及び排水配管経路部６は、残菜フィルタ２５により蓋をされた状態となる。この結果、残菜フィルタ２５の下側（排水配管経路部６側）に閉じ込められた空気の浮力は、残菜フィルタ２５を排水口部４から浮き上がらせる方向に作用する。しかし、本実施の形態では、残菜フィルタ２５がマグネット２３の磁力により遮熱部材２２の周縁部２２ｂに吸着され、かつ、当該マグネット２３によっても直接吸引されている。これにより、残菜フィルタ２５を排水口部４に安定的に保持し、残菜フィルタ２５の浮き上がりを防止することができる。
【００３０】
また、残菜フィルタ２５の隆起部２６ｂでは、パンチングメタル２６が隆起しているので、他の部位と比較して排水穴２６ａが目詰まりし難い。このため、残菜フィルタ２５の下側に閉じ込められた空気は、隆起部２６ｂの排水穴２６ａを経由して残菜フィルタ２５の上側に徐々に逃がされる。これにより、排水穴２６ａが目詰まりし易い状況でも、隆起部２６ｂの位置で空気の逃げ道を確保し、残菜フィルタ２５に作用する空気の浮力を徐々に減少させることができる。
【００３１】
以上詳述した通り、本実施の形態によれば、残菜フィルタ２５が目詰まりした場合でも、マグネット２３の磁力により残菜フィルタ２５の位置ずれを防止し、残菜等の固形物が排水口部４から奥所側に侵入するのを防止することができる。従って、固形物の侵入による作動不良を防止し、食器洗い機の信頼性を向上させることができる。特に、本実施の形態では、ヒータ２１を排水口部４の内部に配置すると共に、ヒータ２１から排水口部４への熱伝導を遮断する遮熱部材２２を採用している。この結果、マグネット２３により遮熱部材２２を磁化し、残菜フィルタ２５の周縁部２６ｃをマグネット２３よりも広い面積で遮熱部材２２の周縁部２２ｂに吸着することができる。これにより、単にマグネット２３のみを用いた場合と比較して、残菜フィルタ２５の取付状態をより安定化することができる。しかも、ヒータ２１の熱を遮断するための遮熱部材２２を残菜フィルタ２５の吸着に利用したので、部品点数の増加を抑制しつつ、上記効果を得ることができる。
【００３２】
なお、前記実施の形態１では、残菜フィルタ２５を構成するパンチングメタル２６の全体をフェライト系ステンレスにより形成し、パンチングメタル２６の周縁部２６ｃをマグネット２３により吸引させる構成とした。しかし、本発明はこれに限らず、残菜フィルタ２５のうちマグネット２３により吸引される部位のみを磁性材料（強磁性材料）により形成し、他の部位はマグネット２３に吸引されない材料により形成してもよい。
【００３３】
また、前記実施の形態１では、遮熱部材２２を磁性材料により構成し、マグネット２３の磁力が遮熱部材２２の周縁部２２ｂを磁化して、磁化された周縁部２２ｂが残菜フィルタ２５の周縁部２６ｃを吸着する構成とした。しかし、本発明はこれに限らず、例えば遮熱部材２２をマグネット２３の磁束が透過する材料により構成し、マグネット２３の磁力が遮熱部材２２を透過して残菜フィルタ２５に作用する構成としてもよい。いずれの場合も、マグネット２３は、遮熱部材２２を介して残菜フィルタ２５を吸着するように構成される。
【符号の説明】
【００３４】
１  洗浄槽
１ａ  底部
２  食器かご
３  洗浄ノズル（洗浄手段）
４  排水口部
５  洗浄配管経路部
６  排水配管経路部
７  洗浄ポンプ
８  排水ポンプ
９  水位検知部
１０  給水弁
２０  枠状凹部
２１  ヒータ
２２  遮熱部材
２２ａ  嵌合部
２２ｂ  周縁部（縁部）
２２ｃ  貫通穴
２２ｄ  露出穴
２３  マグネット
２４  被覆部
２５  残菜フィルタ
２６  パンチングメタル
２６ａ  排水穴
２６ｂ  隆起部
２６ｃ  周縁部（縁部）
２７  把持部
２８  外枠部
５０  食器
【図１】
2017018167.tif 000003
【図２】
2017018167.tif 000004
【図３】
2017018167.tif 000005
【図４】
2017018167.tif 000006
【図５】
2017018167.tif 000007
【図６】
2017018167.tif 000008
【図７】
2017018167.tif 000009